(57)【要約】  【課題】  スぺーサー等の部品点数を削減した液晶表示装置を提供する。  【解決手段】  本液晶表示装置２１における液晶表示部５に、レール状（溝状）のスぺーサー１が差し込まれるようになっている。すると、フレーム７の突片部７ａと表ケース９とで、スぺーサー１を挟持した場合、溝状体の側壁板（液晶表示パネル５ａの上面５ｄ・下面５ｅを押圧する各平板１ｄ・１ｅ）における一方（平板１ｄ９）は、表ケース９と液晶表示パネル５ａとに挟持され、他方（平板１ｅ）は上記突片部７ａを有するフレーム７と液晶表示パネル５ａとによって挟持されることになる。そのため、液晶表示パネル５ａの表示面（上面５ｄ）と非表示面（下面５ｅ）とに別離したスぺーサー１を設ける必要がない。【選択図】      図１
2005148433.tif 000002
【特許請求の範囲】
【請求項１】
液晶表示パネルに取り付けられた固定部を、内壁に突片部を有する枠体と、液晶表示装置の外装部とによって挟持する液晶表示装置において、
上記固定部が、溝状体であることを特徴とする液晶表示装置。
【請求項２】
上記固定部は、溝形成面側を内側とし、上記液晶表示パネルのコーナー部における外縁に沿うよう変形した形状であることを特徴とする請求項１に記載の液晶表示装置。
【請求項３】
上記固定部は、上記の変形箇所における溝の内側面と溝の外側面とを貫通する孔部を有することを特徴とする請求項２に記載の液晶表示装置。
【請求項４】
上記固定部は、上記液晶表示パネルのおいて少なくとも対向するコーナー部に取り付けられていることを特徴とする請求項２または３に記載の液晶表示装置。
【発明の詳細な説明】
【技術分野】
【０００１】
本発明は、緩衝材等により液晶表示パネルを保持する液晶表示装置に関するものである。
【背景技術】
【０００２】
従来、一般の液晶表示装置では、図１３・図１４に示すように、樹脂にて一体成型されたフレーム５７に取り付けられる両面テープ等の粘着材６０が、液晶表示部（液晶表示パネル）５５を支持し、さらに、液晶表示装置の外装である表ケース５９が、液晶表示部５５の表示面側から取り付けられている。
【０００３】
このような、従来の液晶表示装置７１であれば、液晶表示部５５の表示欠陥や、ゴミ・異物等の混入という問題が生じた場合、解決するには煩雑な作業が必要となる。つまり、液晶表示部５５が両面テープ等の粘着材６０にて接着固定されているため、修正作業のとき、フレーム５７から液晶表示部５５の剥離が難しく、液晶表示パネル５５の割れやフレーム５７の破損等が生じる場合がある。また、剥離しやすくするために、恒温槽などに５分から１０分程度、液晶表示装置７１を投入し両面テープ等の粘着材６０の接着力を低下させる手段もあるが、これでは、修正作業に長時間かかるという問題が生じる。
【０００４】
そこで、特許文献１では、図１５に示すように、粘着材を使用することなく、フレーム５７の液晶表示部５５の支持部分に設けられたスぺーサー７１ｅと、表ケース５９の液晶表示部５５の押圧部分に設けられたスぺーサー７１ｄとによって、その液晶表示部５５を保持するようにしている。つまり、両スペーサー７１（７１ｄ・７１ｅ）によって、液晶表示部５５を挟持するようになっている。
【特許文献１】特開平８−１７９２８３号公報（請求項１、段落〔００２１〕参照）
【発明の開示】
【発明が解決しようとする課題】
【０００５】
しかしながら、上記特許文献１では、液晶表示部（液晶表示パネル）５５の各辺（４辺）のうち、少なくとも対向する２辺部に接する表ケース５９・フレーム５７にスぺーサー７１（７１ｄ・７１ｅ）を設ける必要がある。つまり、少なくとも４つのスぺーサーを設ける必要がある。そのため、部品点数が多くなるとともに、液晶表示装置の組み立て効率（作業効率）が低下してしまうという問題がある。
【０００６】
本発明は、上記の問題点を解決するためになされたものであって、その目的は、スぺーサー等の部品点数の削減を図り、作業効率よく製造できる液晶表示装置を提供することにある。
【課題を解決するための手段】
【０００７】
上記目的を達成するために、本発明の液晶表示装置は、液晶表示パネルに取り付けられた固定部を、内壁に突片部を有する枠体と、液晶表示装置の外装部とによって挟持する液晶表示装置であって、上記固定部が、溝状体である。
【０００８】
上記の構成によると、上記固定部が、溝状体であることから液晶表示パネルの側端部を挟持することができる。つまり、溝を構成する内面が、液晶表示パネルの側端部における上面（表示面）・側面・下面（非表示面）と接触するようになっている。（固定部が液晶表示パネルに差し込まれるようになっている）。
【０００９】
そのため、上記枠体の突片部と上記外装部とで、固定部を挟持した場合、溝状体の側壁板（液晶表示パネルの上面・下面を押圧する各平板）における一方は、外装部と液晶表示パネルとに挟持され、他方は上記突片部と液晶表示パネルとによって挟持されることになる。
【００１０】
したがって、液晶表示パネルの側端部において、パネルの表示面と非表示面（裏面）とに別離した固定部を設けることなく、１つの固定部のみで液晶表示パネルの側端部を固定することができる。つまり、固定部の部品点数を削減できる。また、溝状体の側壁板の厚みを調整することで、液晶表示パネルの垂直方向の位置決めをすることができる。
【００１１】
また、上記枠体の突片部と上記外装部とで、固定部を挟持した場合、溝状体の基底板は、液晶表示パネルの側面と枠体の側壁面とで挟まれるようになっている。そのため、この基底板の厚みを調整することで、液晶表示パネルの水平方向の位置決めをすることができる。
【００１２】
また、本発明の液晶表示装置では、上記の構成に加えて、上記固定部は、溝形成面側を内側とし、上記液晶表示パネルのコーナー部における外縁に沿うよう変形した形状であることが好ましい。
【００１３】
上記の構成によると、例えば固定部は、液晶表示パネルにおけるコーナー部を構成する当該液晶表示パネルの外周辺、すなわち、液晶表示パネルの外周辺のうち繋がりあった２辺の一部（外縁）に沿うような形状にすることができる。すると、この形状における変形箇所は、液晶表示パネルのコーナー部が直角のとき固定部もほぼ直角に折れ曲がった形状となってもよいし、また、上記コーナー部が湾曲しているとき固定部もほぼ湾曲した形状となってもよいことになる。
【００１４】
そして、このように変形した固定部であれば、液晶表示パネルのコーナー部（角）に差し込めることができる。すると、固定部は、液晶表示パネルの外周辺のうち少なくとも２辺の一部を挟持することになる。したがって、１個の固定部材で、液晶表示パネルの少なくとも２辺の位置決め（垂直方向・水平方向の位置決め）を行うことができ、固定部の部品点数を削減できる。
【００１５】
また、本発明の液晶表示装置では、上記の構成に加えて、上記固定部は、上記の変形箇所における溝の内側面と溝の外側面とを貫通する孔部を有することが好ましい。
【００１６】
上記の構成によると、液晶表示パネルのパネル分断のときに、その液晶表示パネルのコーナー部に分断残りが発生し、このコーナー部を構成する面（液晶表示パネルの上面・側面・下面）に凹凸が生じたとしても、これらの凹凸が孔部に位置することになる。
【００１７】
つまり、液晶表示パネルのコーナー部に発生した凹凸（液晶表示パネルの分断残り）が孔部に位置することから、これら凹凸が固定部の溝の内側面と接触することがなくなる。そのため、適切に液晶表示パネルの位置決めをすることができる。
【００１８】
また、本発明の液晶表示装置では、上記の構成に加えて、上記固定部は、上記液晶表示パネルのおいて少なくとも対向するコーナー部に取り付けられていることが好ましい。
【００１９】
上記の構成によると、例えば四角状の液晶表示パネルの場合、全てのコーナー部に固定部を取り付けることなく、対向する２箇所のコーナー部に各々１個の固定部材を設けることで、液晶表示パネルの４辺の位置決め（垂直方向・水平方向の位置決め）を行うことができる、そのため、固定部の部品点数を削減できる。
【発明の効果】
【００２０】
本発明の液晶表示装置によれば、別離した固定部を液晶表示パネルの表示面・非表示面に取り付けることなく、溝状の固定部を液晶表示パネルに挟み込むことによって、液晶表示パネルの位置決めを行うため、固定部の部品点数の削減を図ることができ、さらに、作業効率よく液晶表示装置を製造できる。
【発明を実施するための最良の形態】
【００２１】
本発明の実施の一形態について、図面に基づいて説明すれば、以下の通りである。
【００２２】
図２は、本発明の液晶表示装置（本液晶表示装置２１）を概略した分解斜視図ある。この図を用いて、本液晶表示装置２１の概要を説明する。
【００２３】
本液晶表示装置２１は、液晶表示部５、バックライト部６、フレーム（枠体）７、裏ケース８、および表ケース（外装部）９を有している。
【００２４】
液晶表示部５は、画像を表示するものであり、表偏光板・裏偏光板、液晶表示パネル（ＬＣＤパネル）５ａ、およびスぺーサー（固定部）１を有する構成である。そして、液晶表示パネル５ａの表示面側の面上に表偏光板、裏側（非表示面側）の面上に裏偏光板が積層される構成である。つまり、表偏光板と裏偏光板とで液晶表示パネル５ａを挟持するようになっている。
【００２５】
液晶表示パネル５ａは、画像を表示するために、複数の画素を有する表示パネルであり２枚のパネルが積層するようになっている。表偏光板・裏偏光板は、バックライト部６からの入射光（照射光）における特定の偏光成分だけを透過させるものである。
【００２６】
また、スぺーサー１は、液晶表示パネル５ａとフレーム７とのクリアランス（間隔）、および、液晶表示パネル５ａと表ケース９とのクリアランスを調整するものであり、液晶表示パネル５ａのコーナー部５ｂに取り付けられている。
【００２７】
バックライト部６は、液晶表示部５に光を照射するものであり、ＬＥＤ（Light Emitting Diode）等の発光体、レンズシート、拡散シート、導光板（導光体）、および反射シート等を有する構成である。なお、発光体は、ＦＰＣ（Flexible Printed Circuit）等の回路基板に取り付けられている。
【００２８】
フレーム７は、液晶表示部５（液晶表示パネル５ａ）を保持するものであり、例えば内壁に突片部７ａを有する枠状の形態（枠体）である。そして、この突片部７ａによって、液晶表示部５は枠内に位置するように保持されるようになっている。なお、フレーム７の材質は特に限定するものではなく、金属（例えば板金）や、樹脂で一体成型されているものが好ましい。
【００２９】
裏ケース８は、液晶表示部５を保持したフレーム７と、バックライト部６とを収容するものであり、例えば箱型状の形態（箱状体）である。そして、この箱状体（裏ケース８）には、底面の上方側にバックライト部６が配置され、このバックライト部６の上方に液晶表示部５が配置されるようになっている。
【００３０】
表ケース９は、液晶表示装置の外装部であり、裏ケース８に収容された液晶表示部５の周縁（液晶表示パネル５ａの周縁）およびフレーム７の枠縁（周縁）を覆うように裏ケース８に取り付けられる、例えば枠体である。
【００３１】
すなわち、本液晶表示装置２１は、裏ケース８の底面から上方に向かって、バックライト部６、液晶表示部５が重なるように配置される。つまり、液晶表示部５と、バックライト部６とでフレーム７の枠縁を介在するように配置されることで構成されている。
【００３２】
次に、本液晶表示装置２１の最も特徴的な構成について説明する。
【００３３】
本液晶表示装置２１における液晶表示部５では、図３および図４（図３の平面図）に示すような、例えば、ほぼＬ字型で、レール状（溝状）のスぺーサー１が、液晶表示パネル５ａのコーナー部５ｂ（図２参照）に取り付けられている。このスぺーサー（位置決めスぺーサー）１は、図３の矢視Ａ−Ａ’および矢視Ｂ−Ｂ’からの側面を示す図５・図６に示すように、Ｌ字の各一辺の直交断面がほぼコの字の形状をとなっている。つまり、レール（溝状体）の基底板（平板）１ｃの側端から一対の側壁板（平板）１ｄ・１ｅが、所定間隔（幅）を保持して立設している。なお、上記の所定間隔（側壁板１ｄと側壁板１ｅとの幅）については後述する。
【００３４】
なお、上述の説明では、液晶表示パネル５ａのコーナー部５ｂが直角となっているため、Ｌ字型のスぺーサー１を用いて説明しているが、この形状に限定されるものではない。例えば、液晶表示パネル５ａの形状が、四角以上の多角形のときには、そのコーナー部５ｂは鈍角になり、三角形のときには鋭角となる。また、コーナー部５ｂが湾曲している場合もあり得る。
【００３５】
かかるようなコーナー部５ｂの角度に対応すべく、スぺーサー１は、溝形成面側を内側とし、液晶表示パネル５ａにおけるコーナー部５ｂを構成する当該液晶表示パネルの外周辺５ｆ、すなわち、液晶表示パネル５ａの外周辺５ｆのうち繋がりあった２辺の一部（液晶表示パネル５ａのコーナー部５ｂにおける外縁の一部）に少なくとも沿うような形状になっている。すると、この形状における変形箇所は、液晶表示パネル５ａのコーナー部５ｂが上述のように直角のときスぺーサー１もほぼ直角に折れ曲がった形状となってもよいし、また、上記コーナー部５ｂが湾曲しているときスぺーサー１もほぼ湾曲した形状となってもよいことになる。
【００３６】
つまり、スぺーサー１のほぼＬ字の各辺（２辺）の交点部分（コーナー部１ｂ）における角度（内角）が、鋭角や鈍角、または湾曲していてもよい。また、液晶表示パネル５ａのコーナー部５ｂの角度と、スぺーサー１のコーナー部１ｂとが必ず同一形状（同一角度）である必要はなく、要は、スぺーサー１が、液晶表示パネル５ａのコーナー部５ｂを構成する繋がりあった一辺状部分（５ｆ）を挟持できるように変形した形状であればよい。
【００３７】
また、このスぺーサー１の材質は特に限定するものではないが、熱・振動・衝撃等による液晶表示パネル５ａへのストレスを緩和するため、耐熱性の良い材料や衝撃性を吸収するような、例えば硬度６０°のゴム等の材料が好ましい。
【００３８】
スぺーサー１は、図１（本液晶表示装置２１の周縁部の縦断面図）に示すように、液晶表示パネル５ａのコーナー部５ｂにおける上面５ｄ・側面５ｃ・下面５ｅに、コの字形状（溝状）を構成する平板１ｄ・１ｃ・１ｅの内面が接触するように取り付けられている。つまり、コの字形状スぺーサー１の内面、特に、上面・下面（平板１ｄ・１ｅの内面）によって、液晶表示パネル５ａを挟持するようになっている（スぺーサー１が液晶表示パネル５ａのコーナー部に差し込まれるようになっている）。
【００３９】
そして、この差し込まれたスぺーサー１の平板（上側平板）１ｄは表ケース９の内面９ａと液晶表示パネル５ａの表示側面５ｄとによって、平板（下側平板）１ｅはフレーム７の突片部（パネル支持面）７ａと液晶表示パネル５ａの非表示面５ｅとによって、挟持されるようになっている。
【００４０】
そのため、このスぺーサー１を液晶表示パネル５ａのコーナー部（角）５ｂに差し込めば、Ｌ字の２辺が、上記角５ｂを構成する液晶表示パネル５ａの２辺５ｆにおける、表ケース９と液晶表示パネル５ａとのクリアランス、および、フレーム７（突片部７ａ）とその液晶表示パネル５ａとのクリアランスの調整（位置決め）が可能となる。つまり、スぺーサー１の側壁板１ｄ・１ｅの厚みを調整することで、垂直方向（上下方向）の位置決めをすることができる。
【００４１】
また、スぺーサー１の基底板１ｃは、フレーム７の内壁面と液晶表示パネル５ａの側面５ｃとによって挟まれるように位置する（挟持するようになっている）。
【００４２】
そのため、上記同様、Ｌ字の２辺が、上記角５ｂを構成する液晶表示パネル５ａの２辺５ｆにおける、フレーム７とその液晶表示パネル５ａとのクリアランスの調整（位置決め）が可能となる。つまり、スぺーサー１の基底板１ｃの厚みを調整することで、水平方向（横方向）の位置決めをすることができる。
【００４３】
以上のように、本液晶表示装置２１では、液晶表示パネル５ａの４角のうち、少なくとも対角上の２角にスぺーサー１を取り付けるだけで、液晶表示パネル５ａの４辺（各辺）すべての垂直方向および水平方向の位置決めをすることができる。つまり、液晶表示パネル５ａの４辺すべてにスぺーサー１を取り付けることなく位置決めをすることができ、部品点数（スぺーサー等の数量）を削減することができる。
【００４４】
また、本液晶表示装置２１では、液晶表示パネル５ａに取り付けられたスぺーサー１を表ケース９とフレーム７とで挟持することで、本液晶表示装置２１に液晶表示パネル５ａを取り付けることができる。そのため、両面テープ等の粘着材を使用する必要がないので、一層部品点数の削減を図ることができ、その結果、本液晶表示装置２１を製造するときの作業効率も向上する。
【００４５】
その上、粘着材を使用しないことから、液晶表示パネル５ａの表示欠陥や、液晶表示パネル５ａにゴミ・異物等の混入という問題が生じた場合、容易に修正作業を行える。つまり、容易にフレーム７から液晶表示パネル５ａを剥離することができる。
【００４６】
また、上記説明では、液晶パネル５ａの対向するコーナー部５ｂ（対角）、つまり２ヶ所にスぺーサー１を取り付けた場合について説明してきたが、これに限定することなく、対角および残る２角の内の１つに取り付けた場合、もしくは、図７に示すように、液晶表示パネル５ａの全てのコーナー部５ｂに取り付けても構わない。
【００４７】
また、液晶パネル５ａの一辺５ｆにおける中央部等に、一辺型でレール状（溝状）のスペーサー１を取り付けても構わない。このような形状のスぺーサー１であっても、上述同様、フレーム７の突片部７ａと表ケース９とで、スぺーサー１を挟持した場合、溝状体の側壁板（液晶表示パネル５ａの上面５ｄ・下面５ｅを押圧する各平板１ｄ・１ｅ）における一方（平板１ｄ）は、表ケース９と液晶表示パネル５ａとに挟持され、他方（平板１ｅ）は上記突片部７ａを有するフレーム７と液晶表示パネル５ａとによって挟持されることになる。
【００４８】
したがって、液晶表示パネル５ａの側端部において、液晶表示パネル５ａの表示面（上面５ｄ）と非表示面（下面５ｅ）とに別離したスぺーサー１を設けることなく、１つのスぺーサー１のみで液晶表示パネル５ａの側端部を固定することができる。つまり、スぺーサーの部品点数を削減できる。
【００４９】
また、上述同様、スぺーサー１の側壁板１ｄ・１ｅ、基底板１ｃの厚みを調整することで、液晶表示パネル５ａの垂直方向・水平方向の位置決めをすることができる。その上、上述同様、粘着材を使用しないことから、ゴミ・異物等の混入という問題が生じた場合、容易に修正作業を行える。
【００５０】
なお、上記のような一辺状のスぺーサー１は、少なくとも対向する液晶表示パネル５ａの外周辺に取り付ければよい。例えば四角状の液晶表示パネル５ａであれば、４辺すべてに取り付けなくても対向する２辺のみに取り付けるだけでよい。
【００５１】
また、スぺーサー１には、図８〜図１０に示すように、Ｌ字状のコーナー部１ｂにコーナー孔（孔部）１５が設けられていてもよい。具体的には、コーナー孔１５は、基底板１ｃのコーナー部１ｂの変形箇所、およびこの変形箇所と接する平板１ｄ・１ｅのコーナー部を切り欠くことで設けられる。そして、この切り欠き部分の形状は、特に限定するものではなく、例えば平板１ｄ・１ｅの断面が、図８・図１０のように角度（鋭角、直角、鈍角）を有する形状や、図９のように曲面を有する形状であってもよい。
【００５２】
このコーナー孔１５を設けると、本液晶表示装置２１を製造するとき、液晶表示パネル５ａの分断精度が低くなったとしても製造上、支障をきたさないことになる。なぜなら、液晶表示パネル５ａパネル分断のとき、その液晶表示パネル５ａのコーナー部５ｂに分断残りが発生し、このコーナー部５ｂを構成する面（液晶表示パネル５ａの上面５ｄ・側面５ｃ・下面５ｅ）に凹凸が生じたとしても、これらの凹凸がコーナー孔１５に位置するためである。
【００５３】
つまり、液晶表示パネル５ａのコーナー部５ｂに発生した凹凸（液晶表示パネル５ａの分断残り）がコーナー孔１５に位置することから、これら凹凸がスぺーサー１の内面（平板１ｃ・１ｄ・１ｅの面）と接触することがなくなる。そのため、適切に液晶表示パネル５ａの位置決めをすることができる。
【００５４】
なお、コーナー孔１５の大きさは、特に限定されることはなく、液晶表示パネル５ａの分断のときに使用する分断機の精度に対応し、孔を大きくしたり小さくしたりすることができる。
【００５５】
また、上述の説明では、液晶表示パネル５ａは２枚のパネルからなるものを用いて説明してきた。しかし、１枚のパネルから液晶表示パネル５ａが構成されることもある。例えば、液晶駆動用のドライバーチップや、信号や電源等の入出力用ＦＰＣを異方性導電膜（Anisotropy Conductive film；ＡＣＦ）により実装する場合、２枚のパネルにおける上側のパネル（例えば、カラーフィルター（Color Filter）パネル;ＣＦパネル）が必要なくなる。
【００５６】
かかる場合、図１１・図１２に示すように、平板１ｄの厚みを増やしたスぺーサー１、すなわち、必要ないパネルの厚み分を平板１ｄの厚みに加えたスぺーサー１を用いる。このようなスぺーサー１を用いると、平板１ｄの内面で液晶表示パネル５ａを押圧できる。そのため、２枚のパネルからなる液晶表示パネル５ａと同様、垂直方向・水平方向の位置決めを行うことができる。
【００５７】
また、スぺーサー１における平板１ｄと平板１ｅとの幅（所定間隔）は、液晶表示パネル５ａの厚みに対応させるようになっている。例えば、液晶パネル５ａを構成する上下のパネルの厚みが各々０．５ｍｍの場合、すなわち液晶表示パネル５ａ全体の厚みが１．０ｍｍの場合、上記の所定間隔は０．９３ｍｍでも、０．９５ｍｍでも、さらに０．９８ｍｍでも様々な間隔にすることができる。
【００５８】
また、例えば液晶パネル５ａを構成する上側のＣＦパネルの厚みが０．４ｍｍ、下側のＴＦＴ（Thin Film Transistor）パネルが０．５ｍｍの場合には、上記の所定間隔を０．８５ｍｍにすることもできる。
【００５９】
すなわち、上記の所定間隔は、特に限定されることはなく、液晶表示パネル５ａの厚みに対して同厚にしてもよいし、または薄くしたり厚くしたりしても構わない。
【００６０】
なお、上述した表ケース９は、樹脂成形型のフレームや、最終製品のキャビネット、透明な板等であっても構わない。また、フレーム７は、金属製（例えば板金）の裏ケースや、最終製品の支持部材等であっても構わない。
【００６１】
また、本発明の液晶表示装置は、下記のように表現することもできる。
液晶表示装置であって、その液晶表示装置の液晶表示パネルの少なくとも対角のコーナー部に位置決めスぺーサーを配置することを特徴としているともいえる。
【００６２】
また、本発明の液晶表示装置では、溝状体の位置決めスぺーサーは、溝形成面側を内側とし、上記液晶表示パネルのコーナー部における外縁の一辺状部分を少なくとも含むように変形した形状であることを特徴としているともいえる。
【００６３】
また、本発明の液晶表示装置では、スぺーサーの角に孔部があることを特徴としているともいえる。
【産業上の利用可能性】
【００６４】
本発明は、液晶表示パネルを有する液晶表示装置に有用である。
【図面の簡単な説明】
【００６５】
【図１】本発明の液晶表示装置（本液晶表示装置）の周縁部の縦断面図である。
【図２】本液晶表示装置を概略した分解斜視図である。
【図３】本液晶表示装置に用いられるスぺーサーの斜視図である。
【図４】本液晶表示装置に用いられるスぺーサーの平面図である。
【図５】図３の矢視Ａ−Ａ’からのスぺーサーの側面図である。
【図６】図３の矢視Ｂ−Ｂ’からのスぺーサーの側面図である。
【図７】図２の本液晶表示装置の他の一例を示す分解斜視図である。
【図８】コーナー孔を設けたスぺーサーを示す斜視図である。
【図９】図８のスぺーサーの他の一例を示す斜視図である。
【図１０】図８・図９のスぺーサーの他の一例を示す斜視図である。
【図１１】スぺーサーの平板の厚みを変更した当該スぺーサーを示す斜視図である。
【図１２】図１１のスぺーサーの他の一例を示す斜視図である。
【図１３】従来の液晶表示装置（従来装置）を概略した分解斜視図である。
【図１４】従来装置の周縁部の縦断面図である。
【図１５】図１４の従来装置の他の一例を示す縦断面図である。
【符号の説明】
【００６６】
１    スぺーサー（固定部）
１ｂ  スぺーサーのコーナー部
１ｃ  基底板（平板）
１ｄ  側壁板（平板）
１ｅ  側壁板（平板）
５    液晶表示部
５ａ  液晶表示パネル
５ｂ  液晶表示パネルのコーナー部
５ｃ  液晶表示パネルの側面
５ｄ  液晶表示パネルの上面
５ｅ  液晶表示パネルの下面
５ｆ  液晶表示パネルの外周辺
７    フレーム（枠体）
７ａ  突片部
９    表ケース（外装部）
【図１】
2005148433.tif 000003
【図２】
2005148433.tif 000004
【図３】
2005148433.tif 000005
【図４】
2005148433.tif 000006
【図５】
2005148433.tif 000007
【図６】
2005148433.tif 000008
【図７】
2005148433.tif 000009
【図８】
2005148433.tif 000010
【図９】
2005148433.tif 000011
【図１０】
2005148433.tif 000012
【図１１】
2005148433.tif 000013
【図１２】
2005148433.tif 000014
【図１３】
2005148433.tif 000015
【図１４】
2005148433.tif 000016
【図１５】
2005148433.tif 000017